(57)【要約】【課題】  特別な制御対象電子機器切替操作を必要とせず、複数の電子機器を制御可能なリモートコントローラを提供することを目的とする。【解決手段】  リモートコントローラ３は、本体４と、該本体４に対し回動自在に取り付けられるとともに、該本体４の上面の一部を覆うカバー５とから構成される。カバー５で覆われない第１の本体部分４ａの上面に、テレビ２を制御する第１のキー群６を設ける。第２の本体部分４ｂを覆うカバー５の上面に、ホームサーバ１を制御する第３のキー群８ａを設ける。カバー５で覆われる第２の本体部分４ｂの上面に、テレビ２を制御する第５のキー群９を設ける。第５のキー群９は、カバー５を閉位置状態において、カバー５の上面に設けられる第３のキー群８ａ及び第４のキー群８ｂと対峙する位置に設けられる。第５のキー群９の中で頻繁に使用されるキー群を、第１のキー群６として配設する。【選択図】  図３
2005064756.tif 000002
【特許請求の範囲】
【請求項１】
第１の領域と第２の領域とを有する本体と、
前記本体に設けられ前記第１の領域を覆う閉位置と前記第１の領域を露出する開位置と
の間で移動可能なカバーと、
前記第１の領域に設けられるとともに、前記カバーが前記閉位置状態で操作されたとき
に機能する第１の機能と前記カバーが前記開位置状態で操作されたときに機能する第２の
機能とが割当てられた第１のキーと、
前記第２の領域に設けられるとともに、前記第２の機能が割当てられた第２のキーと、
を具備することを特徴とするリモートコントローラ。
【請求項２】
本リモートコントローラは、第１の電子機器と前記第２の電子機器とを制
御するリモートコントローラであり、
前記カバーが前記閉位置状態で、前記第１のキーを操作することで機能する第１の機能
は、前記第１の電子機器を制御する機能であり、
前記カバーが前記開位置状態で、前記第１のキーを操作することで機能する第２の機能
は、前記第２の電子機器を制御する機能であることを特徴とする請求項１記載のリモート
コントローラ。
【請求項３】
前記第１の機能と前記第２の機能は、制御する電子機器の対象が異なるも
のの、制御内容が同様な機能であることを特徴とする請求項２記載のリモートコントロー
ラ。
【請求項４】
第１の領域を有する本体と、
前記本体に設けられ前記第１の領域を覆う閉位置と前記第１の領域を露出する開位置と
の間で移動可能なカバーと、
前記第１の領域に設けられるとともに、前記カバーが前記閉位置状態で操作されたとき
及び前記カバーが前記開位置状態で操作されたときに機能する所定の機能とが割当てられ
たキーと、
を具備することを特徴とするリモートコントローラ。
【発明の詳細な説明】
【技術分野】
【０００１】
本発明は、リモートコントローラに関し、特に、複数の電子機器の制御を行うことが可
能であるリモートコントローラに関する。
【背景技術】
【０００２】
従来、複数の電子機器を制御対象とするリモートコントローラがあった。リモートコン
トローラの制御対象である電子機器を切替える手段として、該リモートコントローラにカ
バーを設け、該カバーの内側面先端部に突起を形成し、該突起と一致する位置であって、
且つ、該本体の上面にプッシュスイッチを設け、該カバーを閉塞することにより該カバー
の突起がプッシュスイッチを押圧して該プッシュスイッチをＯＮし、該カバーを展開する
ことにより該突起がプッシュスイッチを離間して該プッシュスイッチをＯＦＦし、該スイ
ッチのＯＮ、ＯＦＦにより前記キースイッチの入力モードを切替えるようにしたことを特
徴とするリモートコントローラがあった（特許文献１参照。）。
【特許文献１】特開平１１−２３４７６７号公報（第３頁、段落［００１８］以降、第２図）
【発明の開示】
【発明が解決しようとする課題】
【０００３】
しかし、上記、背景技術の項目で説明した、複数の電子機器を制御可能なリモートコン
トローラに係る発明は、リモートコントローラの制御対象である電子機器を切替えるため
に、カバーの展開閉塞操作を、その都度行わなければならなかった。制御対象である電子
機器の切替えを頻繁に行わなければならない場合、頻繁に行われるカバーの展開閉塞操作
は、ユーザにとって煩わしく感じられることもある。
【０００４】
そこで、特別な制御対象電子機器切替操作を必要とせず、複数の電子機器を制御可能な
リモートコントローラを提供することを目的とする。
【課題を解決するための手段】
【０００５】
上記目的を達成するために、請求項１に係る発明では、第１の領域と第２の領域とを有
する本体と、本体に設けられ第１の領域を覆う閉位置と第１の領域を露出する開位置との
間で移動可能なカバーと、第１の領域に設けられるとともに、カバーが閉位置状態で操作
されたときに機能する第１の機能とカバーが開位置状態で操作されたときに機能する第２
の機能とが割当てられた第１のキーと、第２の領域に設けられるとともに、第２の機能が
割当てられた第２のキーとを具備することを特徴とする。
【発明の効果】
【０００６】
本発明によれば、特別な制御対象電子機器切替操作を必要とせず、複数の電子機器を夫
々制御することが可能となる。
【発明を実施するための最良の形態】
【０００７】
以下本発明に係る実施の形態を、図面を参照して説明する。
【０００８】
図１は、リモートコントローラと該リモートコントローラで制御される電子機器群との
関係を示す図である。
【０００９】
ホームサーバ１（第１の電子機器）は、テレビ２（第２の電子機器）をはじめとする周
辺機器を制御する。例えば、ホームサーバ１は、テレビチューナを具備し、該テレビチュ
ーナを用いて受信されたテレビ番組に係るデータを、テレビ２に送信する、といった制御
を行う。ホームサーバ１及びテレビ２は、リモートコントローラ３を用いて制御される。
【００１０】
例えば、リモートコントローラ３は、テレビ２の電源のオン／オフ制御や音量の制御、さ
らにホームサーバ１が有する映像及び音声に係るデータの早送り制御等を行う。
【００１１】
図２は、カバーが閉位置状態にあるリモートコントローラを示す図である。
【００１２】
リモートコントローラ３は、本体４と、該本体４に対し回動自在に移動可能であるよう
に取り付けられるとともに該本体４の上面の一部を覆うカバー５とから構成される。本体
４は、閉位置状態にあるカバー５で覆われない第１の本体部分４ａ（第２の領域）と、閉
位置状態にあるカバー５で覆われる第２の本体部分４ｂ（第１の領域）とから構成される
。
【００１３】
カバー５で覆われない第１の本体部分４ａの上面に、テレビ２を制御する第１のキー群
６（第２のキー）とホームサーバ１を制御する第２のキー群７とを設ける。所定のタイミ
ングでこれらのキー群を操作すると、操作されたキーに割当てられている制御内容に基い
て、テレビ２又はホームサーバ１は制御される。
【００１４】
第２の本体部分４ｂを覆うカバー５の上面に、ホームサーバ１を制御する第３のキー群
８ａとテレビ２を制御する第４のキー群８ｂとを設ける。所定のタイミングでこれらのキ
ー群を操作すると、操作されたキーに割当てられている制御内容に基いて、ホームサーバ
１又はテレビ２は制御される。
【００１５】
図３は、カバーが開位置状態にあるリモートコントローラを示す図である。
【００１６】
カバー５で覆われる第２の本体部分４ｂの上面に、テレビ２を制御する第５のキー群９
（第１のキー）を設ける。この第５のキー群９は、カバー５が閉位置にある状態で、カバ
ー５の上面に設けられる第３のキー群８ａ及び第４のキー群８ｂと対峙する位置に設けら
れる。カバー５が開位置にある状態で、所定のタイミングで第５のキー群９を操作すると
、操作されたキーに割当てられている制御内容に基いて、テレビ２を制御する。
【００１７】
第２の本体部分４ｂの上面には、穴１０が形成される。該穴１０の内部には、押下げら
れることで制御対象の電子機器の切替えを行うスイッチ（図示せず）が設けられる。後述
でさらに説明するが、カバー５を閉位置状態にすることで、該スイッチは押下げられ、該
スイッチが押下げられたことで、制御対象の電子機器が、テレビ２からホームサーバ１へ
と変更される。すなわち、カバー５が閉位置にある状態で、カバー５の上面に設けられる
第３のキー群８ａにおける所定のキーが押下げられることで、該第３のキー群８ａにおけ
る押下げられた所定のキーと対峙する第５のキー群９における所定のキーも押下げられ、
該第５のキー群９における押下げられた所定のキーに割当てられている制御内容に基いて
、ホームサーバ１が制御される。
【００１８】
カバー５の裏面には、支持板１３が取り付けられる。この支持板１３は、カバー５の上
面に設けられる第３のキー群８ａと第４のキー群８ｂとを支持する。この支持板１３の上
面には、カバー５の上面に設けられる第３のキー群８ａ及び第４のキー群８ｂのカバー５
の上面側の面と対向する、第３のキー群８ａ及び第４のキー群８ｂの後面群１１が露出さ
れる。カバー５が閉位置にある状態で、カバー５の上面に設けられる第３のキー群８ａ又
は第４のキー群８ｂが押下げられると、該押下げられた第３のキー群８ａ又は第４のキー
群８ｂに対応する後面群１１が、第５のキー群９と接することで、第５のキー群９を押下
げる。
【００１９】
支持板１３の上面には、突起１２が形成される。この突起１２は、カバー５が閉位置に
ある状態において、第２の本体部分４ｂに形成された穴１０に嵌合するとともに、該穴１
０内に設けられるスイッチを押下げる位置に形成される。すなわち、カバー５が開位置に
ある状態から閉位置にある状態に変位させると、突起１２が穴１０内に設けられるスイッ
チを押下げ、この状態において、カバー５の上面に設けられる第３のキー群８ａを押下げ
ると、押下げられたキーに割当てられている制御内容に基いて、ホームサーバ１が制御さ
れる。
【００２０】
図４は、テレビを制御する第４のキー群を示す図である。
【００２１】
カバー５で覆われる第２の本体部分４ｂの上面に設けられる第５のキー群９の配列に関
する説明を行う。第５のキー群９の左上から右方向にかけて、テレビ電源キー９１、テレ
ビ消音キー９５、第１の入力切替キー９４を配設し、右列の上から下方向にかけて、第１
のチャネル切替キー９２、第２のチャネル切替キー９３、第１の増音キー９７、第１の減
音キー９８を配設する。さらに、第５のキー群９の左下側に、第１のチャネルキー群９６
を設ける。以下、これらのキーが夫々、操作された時に機能する内容について、説明する
。
【００２２】
テレビ電源キー９１は、テレビ電源のオンオフ操作を行う場合に使用される。テレビ消
音キー９５は、テレビ２の音量を無音にする場合に使用される。第１の入力切替キー９４
は、テレビ２に入力されるデータのソースを切替える。第１のチャネル切替キー９２は、
テレビ２に取り込まれるテレビ番組のチャネルを昇順に従って切替える場合に使用される
。第２のチャネル切替キー９３は、テレビ２に取り込まれるテレビ番組のチャネルを降順
に従って切替える場合に使用される。第１の増音キー９７は、テレビ２の音量を増音する
場合に使用される。第１の減音キー９８は、テレビ２の音量を減音する場合に使用される
。さらに、第１のチャネルキー群９６は、テレビ２に取り込まれるテレビ番組のチャネル
番号が割当てられているとともに、操作されることで該チャネル番号が割当てられている
テレビ番組のチャネルが選択されるキーで構成されている。
【００２３】
図５は、ホームサーバを制御する第３のキー群とテレビを制御する第４のキー群とを示
す図である。
【００２４】
カバー５の上面に設けられる第３のキー群８ａの配列に関する説明を行う。第３のキー
群８ａの上部に、第２の入力切替キー８４を配設し、右列の上から下方向にかけて、第３
のチャネル切替キー８２、第４のチャネル切替キー８３を配設する。さらに、第３のキー
群８ａの左下側に、第２のチャネルキー群８６を設ける。以下、これらのキーが夫々、操
作された時に機能する内容（第１の機能）について、説明する。
【００２５】
第２の入力切替キー８４は、ホームサーバ１に入力されるデータのソースを切替える。
【００２６】
第３のチャネル切替キー８２は、ホームサーバ１に取り込まれるテレビ番組のチャネルを
昇順に従って切替える場合に使用される。第４のチャネル切替キー８３は、ホームサーバ
１に取り込まれるテレビ番組のチャネルを降順に従って切替える場合に使用される。さら
に、第２のチャネルキー群８６は、テレビ番組のチャネル番号が割当てられているととも
に、操作されることで該チャネル番号が割当てられているテレビ番組のチャネルが選択さ
れるキーで構成されている。
【００２７】
上述した第３のキー群８ａの配列は、図４を用いて説明した第２の本体部分４ｂの上面
に設けられる第５のキー群９の配列と関連付けられている。つまり、第１の入力切替キー
９４と対峙する位置に第２の入力切替キー８４を、第１のチャネル切替キー９２と対峙す
る位置に第３のチャネル切替キー８２を、第２のチャネル切替キー９３と対峙する位置に
第４のチャネル切替キー８３を、第１のチャネルキー群９６と対峙する位置に第２のチャ
ネルキー群８６を設ける。
【００２８】
テレビ２及びホームサーバ１という具合に制御対象の電子機器が異なるものの、例えば
第１の入力切替キー９４と第２の入力切替キー８４という具合に制御内容が同じであるキ
ー同士を関連付けて配設することで、ユーザは、カバー５を開閉することで制御対象の電
子機器を切替えても、容易に、制御したい内容を認識することが可能となる。
【００２９】
次に、カバー５の上面に設けられる第４のキー群８ｂの配列に関する説明を行う。前述
で説明した第３のチャネル切替キー８２から第４のチャネル切替キー８３の方向に向かっ
て、第２の増音キー８７及び第２の減音キー８８を配設する。以下、これらのキーが夫々
、操作された時に機能する内容について、説明する。
【００３０】
第２の増音キー９７は、テレビ２の音量を増音する場合に使用される。第２の減音キー
９８は、テレビ２の音量を減音する場合に使用される。
【００３１】
上述した第４のキー群８ｂの配列は、図４を用いて説明した第２の本体部分４ｂの上面
に設けられる第５のキー群９の、第１の増音キー９７及び第１の減音キー９８の配列と関
連付けられている。つまり、第１の増音キー９７と対峙する位置に第２の増音キー８７を
、第１の減音キー９８と対峙する位置に第２の減音キー８８を設ける。
【００３２】
テレビ２の音量を増音する第１の増音キー９７及び第２の増音キー８７を、そして、テ
レビ２の音量を減音する第１の減音キー９８及び第２の減音キー８８を、夫々対峙させて
設けることで、ユーザは、カバー５が開位置状態又は閉位置状態にあるにしても、テレビ
２の増音キー又はテレビ２の減音キーを容易に認識することが可能となる。また、ユーザ
は、カバー５が閉位置にある状態で、テレビ２の音量を増音又は減音させることが可能で
あり、さらに、カバー５を閉位置から開位置へ変位させた場合においても、テレビ２の音
量を増音又は減音させることが可能となる。
【００３３】
図６は、テレビを制御する第１のキー群を示す図である。
【００３４】
カバー５で覆われない第１の本体部分４ａの上面に設けられるとともに、テレビ２を制
御する第１のキー群６の説明を行う。第１のキー群６の左列の上から下方向にかけて、Ｔ
Ｖ電源６１と第１のチャネル切替キー６２と第２のチャネル切替キー６３とを配設する。
【００３５】
さらに、第１のキー群６の右列の上から下方向にかけて、入力切替キー６４とＴＶ消音６
５とを配設する。
【００３６】
第１のキー群６には、テレビ２を制御する際、頻繁に使用されるキー群が設けられる。
【００３７】
また、上記で説明した第１のキー群６を構成する夫々のキーが操作されることで機能する
内容（第２の機能）は、図４を用いて説明した第５のキー群９に設けられるＴＶ電源９１
、ＴＶ消音９５、入力切替９４、第１のチャネル切替キー９２、第２のチャネル切替キー
９３が操作されることで機能する内容（第２の機能）と同等である。
【００３８】
カバー５で覆われない第１の本体部分４ａの上面に、頻繁に使用されるテレビ２制御用
のキー群を設けることで、ユーザは、テレビ２を制御する際、カバー５を頻繁に開け閉め
する必要が無いので、煩わしさを感じることなく、すなわち、リモートコントローラ３の
操作性が向上する。
【００３９】
本発明ではその主旨を逸脱しない範囲であれば、上記の実施形態に限定されるものでは
ない。そして、複数台の電子機器を操作するリモートコントローラに広く適用できるもの
である。
【図面の簡単な説明】
【００４０】
【図１】リモートコントローラと該リモートコントローラで制御される電子機器群との関係を示す図。
【図２】カバーが閉位置状態にあるリモートコントローラを示す図。
【図３】カバーが開位置状態にあるリモートコントローラを示す図。
【図４】テレビを制御する第５のキー群を示す図。
【図５】ホームサーバを制御する第３のキー群とテレビを制御する第４のキー群とを示す図。
【図６】テレビを制御する第１のキー群を示す図。
【符号の説明】
【００４１】
１…ホームサーバ、２…テレビ、３…リモートコントローラ、４…本体、
４ａ…第１の本体部分、４ｂ…第２の本体部分、５…カバー、
６…第１のキー群、７…第２のキー群、８ａ…第３のキー群、
８ｂ…第４のキー群、９…第５のキー群、１０…穴、
１１…第３のキー群及び第４のキー群の後面群、１２…突起、１３…支持板、
６１…テレビ電源、６２…第１のチャネル切替キー、
６３…第２のチャネル切替キー、６４…第１の入力切替キー、
６５…テレビ消音、８２…第３のチャネル切替キー、
８３…第４のチャネル切替キー、８４…第２の入力切替キー、
８６…第２のチャネルキー群、８７…第２の増音キー、
８８…第２の減音キー、９１…テレビ電源キー、
９２…第１のチャネル切替キー、９３…第２のチャネル切替キー、
９４…第１の入力切替キー、９５…テレビ消音キー、
９６…第１のチャネルキー群、９７…第１の増音キー、
９８…第１の減音キー、
【図１】
2005064756.tif 000003
【図２】
2005064756.tif 000004
【図３】
2005064756.tif 000005
【図４】
2005064756.tif 000006
【図５】
2005064756.tif 000007
【図６】
2005064756.tif 000008